(57)【要約】      （修正有）【課題】潤滑油のための非金属非リン含有油溶性添加剤を提供する。【解決手段】（ａ）０．１％〜２０％の少なくとも一つの式Ｉ：2004162028.tif 000017（式中、ＸはＣＲ５Ｒ６、ＣＲ５Ｒ６ＮＲ７またはＣＲ５Ｒ６ＣＲ８Ｒ９であり；Ｒ１、Ｒ２、Ｒ３、Ｒ４、Ｒ５、Ｒ６、Ｒ７、Ｒ８およびＲ９は独立して水素、アルキル、アルケニル、アリールもしくはアルアルキルであるか；またはＲ１およびＲ２、もしくはＲ３およびＲ４は、それらが結合している炭素原子と一緒になってアルキルまたはアルケニル環を形成する）の環状チオアミド；および（ｂ）潤滑油を含む組成物。【選択図】  なし【特許請求の範囲】
【請求項１】
（ａ）０．１％〜２０％の少なくとも一つの式Ｉ：
【化１】
2004162028.tif 000016
（式中、ＸはＣＲ５Ｒ６、ＣＲ５Ｒ６ＮＲ７またはＣＲ５Ｒ６ＣＲ８Ｒ９であり；Ｒ１、Ｒ２、Ｒ３、Ｒ４、Ｒ５、Ｒ６、Ｒ７、Ｒ８およびＲ９は独立して水素、アルキル、アルケニル、アリールもしくはアルアルキルであるか；またはＲ１およびＲ２、もしくはＲ３およびＲ４は、それらが結合している炭素原子と一緒になってアルキルまたはアルケニル環を形成する）
の環状チオアミド；および
（ｂ）潤滑油を含む組成物。
【請求項２】
ＸがＣＲ５Ｒ６であり、Ｒ１、Ｒ２、Ｒ３、Ｒ４、Ｒ５およびＲ６の少なくとも一つがアルキル、アルケニル、アリールもしくはアルアルキルであるか、またはＲ１およびＲ２、もしくはＲ３およびＲ４は、それらが結合している炭素原子と一緒になってＣ５−Ｃ８アルキルまたはアルケニル環を形成する請求項１記載の組成物。
【請求項３】
Ｒ４がＲ１０ＮＨであり、Ｒ１０がアルキル、アルケニル、アリールまたはアルアルキルである請求項２記載の組成物。
【請求項４】
ＸがＣＲ５Ｒ６ＣＲ８Ｒ９であり；Ｒ１、Ｒ２、Ｒ３、Ｒ４、Ｒ５、Ｒ６、Ｒ８およびＲ９の少なくとも一つがアルキル、アルケニル、アリールもしくはアルアルキルであるか；またはＲ１およびＲ２、もしくはＲ３およびＲ４は、それらが結合している炭素原子と一緒になってＣ５−Ｃ８アルキルまたはアルケニル環を形成する請求項１記載の組成物。
【請求項５】
Ｒ４がＲ１０ＮＨであり、Ｒ１０がアルキル、アルケニル、アリールまたはアルアルキルである請求項４記載の組成物。
【請求項６】
ＸがＣＲ５Ｒ６ＮＲ７であり；Ｒ１、Ｒ２、Ｒ３、Ｒ４、Ｒ５およびＲ６の少なくとも一つが、アルキル、アルケニル、アリールもしくはアルアルキルであるか；またはＲ１およびＲ２、もしくはＲ３およびＲ４は、それらが結合している炭素原子と一緒になってＣ５−Ｃ８アルキルまたはアルケニル環を形成する請求項１記載の組成物。
【請求項７】
Ｒ７が水素であり、Ｒ３およびＲ４の少なくとも一つが、アルキル、アルケニル、アリールまたはアルアルキルである請求項６記載の組成物。
【請求項８】
Ｒ１、Ｒ２、Ｒ３、Ｒ４、Ｒ５、Ｒ６、Ｒ７、Ｒ８およびＲ９の少なくとも一つがアリール、アルアルキル、Ｃ４−Ｃ２２アルキルまたはＣ４−Ｃ２２アルケニルである請求項１記載の組成物。
【請求項９】
少なくとも２つの式（Ｉ）の環状チオアミド化合物を含む請求項１記載の組成物。
【請求項１０】
少なくとも２つの環状チオアミド化合物が０．２％〜５％の合計量で存在する請求項９記載の方法。
【発明の詳細な説明】
【技術分野】
【０００１】
本発明は一般に潤滑油のための添加剤として有用な環状チオアミドに関する。
【背景技術】
【０００２】
ジアルキルジチオリン酸亜鉛（ＺＤＤＰ）は潤滑剤添加剤として広く用いられている。これらの化合物の主な欠点は、添加剤が消費される際に亜鉛により灰分が生じることであり、リンは自動車において触媒コンバーターの効率に影響を及ぼすことが知られ、それによって排出物の問題を引き起こすことである。潤滑剤添加剤として有用な環状化合物は、米国特許第６１８７７２２号において開示されている。しかしながら、この文献に開示されている化合物は本発明の範囲に含まれないイミダゾリジンチオンである。
【０００３】
【特許文献１】米国特許第６１８７７２２号明細書
【発明の開示】
【発明が解決しようとする課題】
【０００４】
本発明により取り扱われる問題は、潤滑油のためのさらなる非金属非リン含有油溶性添加剤を見いだすことである。
【課題を解決するための手段】
【０００５】
本発明は：
（ａ）０．１％〜２０％の少なくとも一つの式Ｉ：
【０００６】
【化１】
2004162028.tif 000002
【０００７】
（式中、ＸはＣＲ５Ｒ６、ＣＲ５Ｒ６ＮＲ７またはＣＲ５Ｒ６ＣＲ８Ｒ９であり；Ｒ１、Ｒ２、Ｒ３、Ｒ４、Ｒ５、Ｒ６、Ｒ７、Ｒ８およびＲ９は独立して水素、アルキル、アルケニル、アリールもしくはアルアルキルであるか；またはＲ１およびＲ２、もしくはＲ３およびＲ４は、それらが結合している炭素原子と一緒になってアルキルまたはアルケニル環を形成する）
の環状チオアミド；および
（ｂ）潤滑油を含む組成物に関する。
【０００８】
本発明はさらに、０．１％〜２０％の式Ｉの化合物を添加することにより、潤滑油の耐摩耗特性を向上させる方法に関する。
【０００９】
本発明はさらに、式（Ｉ）の化合物とイミン；不飽和カルボン酸もしくはエステル；イソシアネートもしくはイソチオシアネート；または脱離基を有するアルキル、アルケニルまたはアルアルキル基との反応生成物を含む潤滑油組成物；および前記反応生成物に関する。
【００１０】
全てのパーセンテージは特に明記しない限り記載された全組成物に基づく重量パーセントである。「アルキル」基は、直鎖、分岐鎖または環状配置において１〜２２個の炭素原子を有し、０〜２個の酸素、窒素または硫黄原子を有する飽和ヒドロカルビル（ｈｙｄｒｏｃａｒｂｙｌ）基である。アルキル基上での、１またはそれ以上のハロ、ヒドロキシ、アルコキシ、アルカノイルまたはアミド基の置換が許容され；同様に、アルコキシ、アルカノイルおよびアミド基は１またはそれ以上のハロ置換基により置換されていてもよい。好ましい一態様において、アルキル基は、２〜１２個の炭素原子および０〜１個の酸素、窒素または硫黄原子を含み；もう一つの好ましい態様において、アルキル基は、４〜２２個の炭素原子を含み；もう一つの好ましい態様においては、アルキル基はヘテロ原子を含まない。「アルケニル」基は、少なくとも一つの炭素−炭素単結合が二重結合で置換されている「アルキル」基である。「アリール」基は、窒素、酸素および硫黄から選択されるヘテロ原子を有する複素環式芳香族化合物を包含する芳香族化合物から誘導される置換基である。アリール基は、合計で５〜２０個の環原子を有し、独立しているかまたは縮合した１またはそれ以上の環を有する。アリール基上での、１またはそれ以上のハロ、アルキル、アルケニル、ヒドロキシ、アルコキシ、アルカノイルまたはアミド基の置換が許容され、１またはそれ以上のハロ基による置換は、アルキル、アルケニル、アルコキシ、アルカノイルまたはアミド基上で可能である。「アルアルキル」基は「アリール」基により置換された「アルキル」基である。「潤滑油」は、たとえば内燃機関におけるクランクケースオイル、オートマティックトランスミッション液、タービン潤滑剤、ギア潤滑剤、コンプレッサー潤滑剤、金属加工用潤滑剤、作動油などの潤滑剤として使用するために適当な粘度を有する天然または合成油、あるいはその混合物である。
【００１１】
好ましくは、Ｒ１、Ｒ２、Ｒ３、Ｒ４、Ｒ５、Ｒ６、Ｒ７、Ｒ８およびＲ９の少なくとも一つはアルキル、アルケニル、アリールもしくはアルアルキルであるか、またはＲ１およびＲ２、もしくはＲ３およびＲ４は、それらが結合している炭素原子と一緒になってアルキルまたはアルケニル環を形成し；さらに好ましくは、Ｒ１、Ｒ２、Ｒ３、Ｒ４、Ｒ５、Ｒ６、Ｒ７、Ｒ８およびＲ９の少なくとも二つはアルキル、アルケニル、アリールまたはアルアルキルである。本発明の一態様において、Ｒ１、Ｒ２、Ｒ３、Ｒ４、Ｒ５、Ｒ６、Ｒ７、Ｒ８およびＲ９の少なくとも一つは、アリール、アルアルキル、Ｃ４−Ｃ２２アルキルまたはＣ４−Ｃ２２アルケニルであり；さらに好ましくは、Ｒ１、Ｒ２、Ｒ３、Ｒ４、Ｒ５、Ｒ６、Ｒ７、Ｒ８およびＲ９の少なくとも一つは、Ｃ４−Ｃ２２アルキルまたはＣ４−Ｃ２２アルケニルであり；最も好ましくはＲ１、Ｒ２、Ｒ３、Ｒ４、Ｒ５、Ｒ６、Ｒ７、Ｒ８およびＲ９の少なくとも一つはＣ６−Ｃ２２アルキルである。本発明の組成物は、少なくとも一つの式（Ｉ）の化合物を含む。本発明の一態様において、組成物は少なくとも二つの式（Ｉ）の化合物を含み、さらに好ましくは少なくとも三つの式（Ｉ）の化合物を含む。
【００１２】
本発明の一態様において、Ｒ１およびＲ２、またはＲ３およびＲ４は、それらが結合している炭素原子と一緒になってアルキルまたはアルケニル環、好ましくはＣ５−Ｃ８アルキルまたはアルケニル環、最も好ましくはＣ５−Ｃ６アルキル環を形成する。この態様において、置換基対Ｒ１およびＲ２、またはＲ３およびＲ４のいずれかまたは両方は環状チオアミド環炭素と結合した二官能性アルキルまたはアルケニル基になり、アルキルまたはアルケニル環を形成し、その結果モノ−またはジ−スピロ化合物が得られる。たとえば、ＸがＣＨ２であり；Ｒ１およびＲ２、ならびにＲ３およびＲ４が環炭素原子と結合してＣ６アルキル環を形成する場合、次の構造が得られる：
【００１３】
【化２】
2004162028.tif 000003
【００１４】
本発明の一態様において、ＸはＣＲ５Ｒ６であり、式（Ｉ）の化合物は式（ＩＩ）：
【００１５】
【化３】
2004162028.tif 000004
【００１６】
により表すことができる。
【００１７】
好ましくは、Ｒ１、Ｒ２、Ｒ３、Ｒ４、Ｒ５およびＲ６の少なくとも一つはアルキル、アルケニル、アリールもしくはアルアルキルであるか、またはＲ１およびＲ２、もしくはＲ３およびＲ４はそれらが結合している炭素原子と一緒になってＣ５−Ｃ８アルキルまたはアルケニル環を形成する。本発明の好ましい態様において、Ｒ４はＲ１０ＮＨであり、Ｒ１０はアルキル、アルケニル、アリールまたはアルアルキルである。この態様の化合物は、Ｒ５およびＲ６が水素である態様について以下のスキーム１で示されるように、アルキルニトリル、α−位に脱離基を有するケトン、およびアミンから、三段階プロセスで調製することができる：
【００１８】
スキーム１
【化４】
2004162028.tif 000005
【００１９】
（式中、Ｚは、ヨージド、ブロミド、クロリド、トシレート、メシレートまたはトリフレートを含むが、これらに限定されない適当な脱離基を表す）。好ましくは、Ｒ３はアルキル、アルケニル、アリールまたはアルアルキルである。好ましくは、Ｒ１、Ｒ２およびＲ３はアミン窒素原子を含まない。好ましくは、Ｒ１、Ｒ２、Ｒ３およびＲ１０の少なくとも一つはアリール、アルアルキル、Ｃ４−Ｃ２２アルキルまたはＣ４−Ｃ２２アルケニルであり；さらに好ましくは、Ｃ６−Ｃ２２アルキルまたはＣ６−Ｃ２２アルケニルであり；最も好ましくはＣ１０−Ｃ２２アルキルである。さらに高度に置換されたケトン出発物質を使用すると、Ｒ５およびＲ６の一方または両方が水素でない生成物が得られる。
【００２０】
本発明の一態様において、ＸがＣＨ２である式（Ｉ）の化合物は、下記のスキーム２に示すように、１，２−ハロヒドリン、アルキルニトリルおよびスルフィド塩から、二段階プロセスで調製される：
【００２１】
スキーム２
【化５】
2004162028.tif 000006
【００２２】
（式中、Ｚは、ヨージド、ブロミド、クロリド、トシレート、メシレートまたはトリフレートを含むが、これらに限定されない適当な脱離基を表す）。該プロセスは、ＸがＣＲ５Ｒ６であり、Ｒ５およびＲ６が水素でない化合物を製造するために、置換された出発物質を用いて行うこともできる。
【００２３】
本発明のもう一つの態様において、ＸはＣＲ５Ｒ６ＣＲ８Ｒ９であり、式（Ｉ）の化合物は式（ＩＩＩ）により表すことができる：
【００２４】
【化６】
2004162028.tif 000007
【００２５】
好ましくは、Ｒ１、Ｒ２、Ｒ３、Ｒ４、Ｒ５、Ｒ６、Ｒ８およびＲ９の少なくとも一つはアルキル、アルケニル、アリールもしくはアルアルキルであるか、またはＲ１およびＲ２、もしくはＲ３およびＲ４はそれらが結合している炭素原子と一緒になってＣ５−Ｃ８アルキルまたはアルケニル環を形成する。本発明の好ましい態様において、Ｒ４はＲ１０ＮＨであり、Ｒ１０はアルキル、アルケニル、アリールまたはアルアルキルである。好ましくは、Ｒ３はアルキル、アルケニル、アリールまたはアルアルキルである。好ましくは、Ｒ３はアミン窒素原子を含まない。好ましくは、Ｒ３およびＲ４の少なくとも一つはアリール、アルアルキル、Ｃ４−Ｃ２２アルキルまたはＣ４−Ｃ２２アルケニルであり；さらに好ましくは、Ｃ６−Ｃ２２アルキルまたはアルケニルであり；最も好ましくはＣ１０−Ｃ２２アルキルである。本発明の一態様において、Ｒ１、Ｒ２、Ｒ５、Ｒ６、Ｒ８およびＲ９は水素であり、式（ＩＩＩ）の化合物は次の二段階プロセスに従って調製される：
【００２６】
スキーム３
【化７】
2004162028.tif 000008
【００２７】
このプロセスも出発物質上のさまざまなＲ基について行うことができ、Ｒ１、Ｒ２、Ｒ５、Ｒ６、Ｒ８およびＲ９のいくつかまたは全部が水素でない置換されたバージョンの生成物が得られる。このプロセスは、生成物の５員環類似体、すなわち環炭素上の置換基の有無にかかわらず、ＸがＣＲ５Ｒ６であるものを産生することができる。これを、Ｒ１、Ｒ２、Ｒ５およびＲ６が水素である態様についてスキーム４において以下に説明する：
【００２８】
スキーム４
【化８】
2004162028.tif 000009
【００２９】
本発明のもう一つの態様において、ＸはＣＲ５Ｒ６ＮＲ７であり、式（Ｉ）の化合物は式（ＩＶ）：
【００３０】
【化９】
2004162028.tif 000010
【００３１】
により表すことができる。
【００３２】
好ましくは、Ｒ１、Ｒ２、Ｒ３、Ｒ４、Ｒ５、Ｒ６およびＲ７の少なくとも一つはアルキル、アルケニル、アリールもしくはアルアルキルであるか、またはＲ１およびＲ２、もしくはＲ３およびＲ４はそれらが結合している炭素原子と一緒になってＣ５−Ｃ８アルキルまたはアルケニル環を形成する。好ましい態様において、Ｒ１、Ｒ２、Ｒ５、Ｒ６およびＲ７は水素であり、式（ＩＶ）の化合物は次の二段階プロセスに従って調製される：
【００３３】
スキーム５
【化１０】
2004162028.tif 000011
【００３４】
このプロセスも出発物質上のさまざまなＲ基について行うことができるか、またはアミン窒素に関してその後にアルキル化をおこなって、Ｒ１、Ｒ２、Ｒ５、Ｒ６およびＲ７のいくつかまたは全部が水素でない置換されたバージョンの生成物が得られる。好ましくは、Ｒ３およびＲ４の少なくとも一つはアルキル、アルケニル、アリールまたはアルアルキルであり；さらに好ましくは、Ｒ３およびＲ４の少なくとも一つはアリール、アルアルキル、Ｃ４−Ｃ２２アルキルまたはＣ４−Ｃ２２アルケニルであり；さらに好ましくはＣ６−Ｃ２２アルキルまたはＣ６−Ｃ２２アルケニルであり；最も好ましくはＣ１０−Ｃ２２アルキルである。好ましくは、Ｒ３およびＲ４はアミン窒素原子を含まない。
【００３５】
本発明の好ましい態様において、式（Ｉ）の化合物のチオアミド基またはアミン基は、式Ｒ１１Ｎ＝ＣＲ１２Ｒ１３のイミン；式ＣＨＲ１４＝ＣＲ１５ＣＯＯＲ１６の不飽和カルボン酸エステル；イソシアネート、Ｒ１８ＮＣＯ、またはイソチオシアネート、Ｒ１８ＮＣＳ；またはＲ１７Ｙ；（式中、Ｒ１２、Ｒ１３およびＲ１６は独立して水素、アルキル、アルケニル、アリールまたはアルアルキルであり；Ｒ１７はアルキル、アルケニルまたはアルアルキルであり；Ｒ１４およびＲ１５は独立して水素またはＣ１−Ｃ４アルキルであり；Ｒ１１およびＲ１８は独立してアルキル、アルケニル、アリールまたはアルアルキルであり；Ｙはチオアミド基の窒素もしくは硫黄、または第１級または第２級アミン窒素により置換できる適当な脱離基である）との反応によりさらに官能化される。適当な脱離基は、たとえばヨージド、ブロミド、クロリド、トシレート、メシレートまたはトリフレートを包含する。チオアミド基の官能化は、もちろんチオアミド窒素が少なくとも一つの水素を有すると仮定すると、チオアミド窒素またはチオアミド硫黄について起こり得る。生成物は窒素について官能化された化合物と、硫黄に関して官能化された化合物の混合物でもあり得る。第１級または第２級アミノ基も有する化合物において、官能化は、アミノ基に関して、単独または部分的に起こり得る。
【００３６】
好ましくは、Ｒ１４およびＲ１５は独立して、水素またはメチルである。好ましくは、式ＣＨＲ１４＝ＣＲ１５ＣＯＯＲ１６の化合物は、Ｒ１４＝Ｒ１５＝ＨおよびＲ１６＝アルキルもしくはアルアルキルである、アルキルまたはアルアルキルアクリレート；あるいはＲ１４＝ＨおよびＲ１５＝ＣＨ３であるメタクリレートエステル；あるいはＲ１５＝ＨおよびＲ１４＝ＣＨ３であるクロトン酸エステルである。好ましくは、Ｒ１４は水素である。好ましくは、Ｒ１６はアルキルまたはアルアルキルであり、最も好ましくは、Ｃ４−Ｃ２２アルキルである。好ましくは、Ｒ１８はアリール、アルキルまたはアルアルキルであり、最も好ましくはＣ８−Ｃ２２アルキルである。好ましくは、Ｒ１１はＣ１２−Ｃ２２アルキルである。一態様において、Ｒ１１は非置換Ｃ１６−Ｃ２２アルキルアミン、Ｒ１１ＮＨ２から得られ、好ましくは油溶性アミンである。一態様において、アルキルアミンは、第３級アルキル第１級アミン、すなわち、アルキル基が第３級炭素によりアミノ基に結合した第１級アミンである。商業的に入手可能な第３級アルキル第１級アミンの例は、Ｒｏｈｍ  ａｎｄ  Ｈａａｓ  Ｃｏｍｐａｎｙ，Ｐｈｉｌａｄｅｌｐｈｉａ，ＰＡから入手可能なＰｒｉｍｅｎｅ（商標）である。好ましくは、Ｒ１２およびＲ１３は独立してアルキルまたは水素である。本発明の好ましい一態様において、Ｒ１１Ｎ＝ＣＲ１２Ｒ１３はホルムアルデヒドイミン、Ｒ１１Ｎ＝ＣＨ２である。好ましくは、Ｒ１７はＣ４−Ｃ２２アルキル、Ｃ４−Ｃ２２アルケニルまたはアルアルキルであり；さらに好ましくはＣ６−Ｃ２２アルキルまたはＣ６−Ｃ２２アルケニルであり；最も好ましくはＣ８−Ｃ２２アルキルである。
【００３７】
一例として、式（ＩＩ）の化合物とイミンおよびアクリレートとの反応を以下のスキーム６に示す。
【００３８】
スキーム６
【化１１】
2004162028.tif 000012
【００３９】
式（ＩＩ）の化合物におけるチオアミド基の官能化から得られる化合物は、式（Ｖ）により表すことができる。
【００４０】
【化１２】
2004162028.tif 000013
【００４１】
（式中、ａおよびｂは単結合または二重結合である。ただし、ａおよびｂの一方は単結合であり、他方は二重結合であるとする；Ｂ１およびＢ２の一方は−ＣＲ１４Ｈ−ＣＲ１５Ｈ−ＣＯＯＲ１６、−ＣＲ１２Ｒ１３ＮＨＲ１１、−Ｃ（Ｏ）ＮＨＲ１８、−Ｃ（Ｓ）ＮＨＲ１８またはＲ１７であり、他方は存在しない）。Ｂ１が存在する場合、結合「ｂ」は二重結合であり；Ｂ２が存在する場合、結合「ａ」は二重結合である。式（ＶＩ）に示すように、官能化がチオアミド窒素または硫黄に関しても起こる式（ＩＩＩ）の化合物の官能化から得られる化合物について類似の構造が存在する。
【００４２】
【化１３】
2004162028.tif 000014
【００４３】
式（ＩＶ）の化合物におけるチオアミド基および／または第２級アミノ基の官能化から得られる化合物は、式（ＶＩＩ）により表すことができる。
【００４４】
【化１４】
2004162028.tif 000015
【００４５】
（式中、Ｂ３はＲ７、−ＣＲ１４Ｈ−ＣＲ１５Ｈ−ＣＯＯＲ１６、−ＣＲ１２Ｒ１３ＮＨＲ１１、−Ｃ（Ｏ）ＮＨＲ１８、−Ｃ（Ｓ）ＮＨＲ１８またはＲ１７を表す。）式（ＩＶ）におけるＲ７が水素でないならば、次いで、ＮＲ７アミノ基での官能化は起こらず、Ｂ３は単にＲ７である。式（ＩＩ）、（ＩＩＩ）または（ＩＶ）における他の第１級または第２級アミノ基はこのようにして官能化することができる。たとえば、Ｒ４がＲ１０ＮＨである場合、Ｒ１０ＮＨアミノ基は官能化することができる。
【００４６】
好ましくは、式（Ｉ）の化合物は潤滑油において、少なくとも０．２％の合計量において存在し、さらに好ましくは少なくとも０．３％、最も好ましくは少なくとも０．４％の合計量において存在する。好ましくは、式（Ｉ）の化合物は、潤滑油中、１０％以下の合計量において存在し、さらに好ましくは５％以下、最も好ましくは２％以下の合計量において存在する。好ましくは、化合物は前記量で可溶性である。
【００４７】
任意に、潤滑油において典型的に用いられる他の添加剤が組成物中に存在しても良い。かかる添加剤は、これらに限定されないが、他の抗摩耗添加剤、腐食防止添加剤、洗浄剤、界面活性剤、酸化防止剤、消泡剤、フリクションモディファイアー（ｆｒｉｃｔｉｏｎ  ｍｏｄｉｆｉｅｒｓ）、シールスウェル（ｓｅａｌ  ｓｗｅｌｌ）剤、乳化破壊剤、粘度指数向上剤および流動点降下剤を包含する。式（Ｉ）の化合物との組み合わせにおいて用いることができる他の抗摩耗添加剤はＺＤＤＰとよばれるジアルキルジチオリン酸亜鉛である商品を含む。潤滑油の抗摩耗特性を向上させることに加えて、式（Ｉ）の化合物は典型的には腐食防止特性および酸化防止剤としての機能も向上させる。
【外国語明細書】
2004162028000001.pdf
2004162028000002.pdf
2004162028000003.pdf